(57)【要約】【課題】プッシュ操作に伴う傷が表面に付き難いスイッチ装置を提供する。【解決手段】スイッチ装置１は、表面が操作面２０となるシート２と、操作面２０になされたプッシュ操作を受け付けるスイッチ３と、操作面２０になされたプッシュ操作に伴う荷重をスイッチ３に伝達する伝達部材５と、シート２の裏面２１に取り付けられてシート２と伝達部材５との間に介在し、シート２よりも硬質でありながらプッシュ操作に伴ってシート２に追従して形状が変わる追従構造６０を有する介在部材６と、を備えて概略構成されている。【選択図】図１
2020113473.tif 000002
【特許請求の範囲】
【請求項１】
表面が操作面となるシートと、
前記操作面になされたプッシュ操作を受け付けるスイッチと、
前記操作面になされたプッシュ操作に伴う荷重を前記スイッチに伝達する伝達部材と、
前記シートの裏面に取り付けられて前記シートと前記伝達部材との間に介在し、前記シートよりも硬質でありながら前記プッシュ操作に伴って前記シートに追従して形状が変わる追従構造を有する介在部材と、
を備えたスイッチ装置。
【請求項２】
前記介在部材は、複数の柱体が前記シートの前記裏面に並んで配置され、前記複数の柱体の隙間としての少なくとも１つのスリットを有する前記追従構造を備えた、
請求項１に記載のスイッチ装置。
【請求項３】
前記介在部材は、前記伝達部材側に溝としての少なくとも１つのスリットを有する前記追従構造を備えた、
請求項１に記載のスイッチ装置。
【請求項４】
前記スリットが伸びる方向は、前記プッシュ操作の際に予想される操作指の爪の接触領域の長手方向に対して交差する方向である、
請求項２又は３に記載のスイッチ装置。
【請求項５】
前記スリットは、操作指の爪が嵌らない形状を有する、
請求項２乃至４のいずれか１項に記載のスイッチ装置。
【請求項６】
前記伝達部材及び前記介在部材を介して前記シートを照明する照明部を有し、
前記伝達部材及び前記介在部材は、前記照明部から出力される照明光を透過させる透光性を有する、
請求項１乃至５のいずれか１項に記載のスイッチ装置。
【発明の詳細な説明】
【技術分野】
【０００１】
本発明は、スイッチ装置に関する。
【背景技術】
【０００２】
従来の技術として、スイッチを含む基板の上方に弾性カバーで覆われる操作パネルを配置し、弾性カバーに弾性変形が可能なスイッチ領域を形成するとともに、弾性カバーのスイッチ領域裏面とスイッチの間にスペーサーを配置し、スイッチ領域を押圧することによってスペーサーを介して基板上のスイッチを作動する電気機器のスイッチ構造が知られている（例えば、特許文献１参照。）。
【０００３】
この電気機器のスイッチ構造は、スペーサーが、スイッチ直上に位置するボス部と、該ボス部に設けられ上端が弾性カバーのスイッチ領域裏面に接近するリブ部と、を備えて構成されている。従って電気機器のスイッチ構造は、スイッチ領域の中心以外の部分を押圧してもスペーサーの上端がスイッチ領域の裏面を滑って傾くことがなく、スイッチを確実に作動させることができる。
【先行技術文献】
【特許文献】
【０００４】
【特許文献１】特開２００３−４５２７２号公報
【発明の概要】
【発明が解決しようとする課題】
【０００５】
しかし従来の電気機器のスイッチ構造は、プッシュ操作の際、爪などの鋭利な形状なものによってボス部とリブ部以外のスイッチ領域が強く押されると、表面が凹んで傷になり易い。
【０００６】
従って本発明の目的は、プッシュ操作に伴う傷が表面に付き難いスイッチ装置を提供することにある。
【課題を解決するための手段】
【０００７】
本発明の一態様は、表面が操作面となるシートと、操作面になされたプッシュ操作を受け付けるスイッチと、操作面になされたプッシュ操作に伴う荷重をスイッチに伝達する伝達部材と、シートの裏面に取り付けられてシートと伝達部材との間に介在し、シートよりも硬質でありながらプッシュ操作に伴ってシートに追従して形状が変わる追従構造を有する介在部材と、を備えたスイッチ装置を提供する。
【発明の効果】
【０００８】
本発明によれば、プッシュ操作に伴う傷が表面に付き難い。
【図面の簡単な説明】
【０００９】
【図１】図１（ａ）は、第１の実施の形態に係るスイッチ装置が搭載された電子機器が配置された車両内部の一例を示す概略図であり、図１（ｂ）は、スイッチ装置の要部断面図の一例である。
【図２】図２（ａ）は、第１の実施の形態に係るスイッチ装置の介在部材の一例について説明するための上面図であり、図２（ｂ）及び図２（ｃ）は、操作指の爪の接触とその接触した領域である接触領域の一例を示す概略図である。
【図３】図３は、第１の実施の形態に係るスイッチ装置に対してプッシュ操作がなされた場合の一例を示す要部断面図である。
【図４】図４（ａ）は、第２の実施の形態に係るスイッチ装置の介在部材の一例を説明するための概略図であり、図４（ｂ）は、介在部材の裏面側の一例を示す概略図である。
【図５】図５（ａ）は、第３の実施の形態に係るスイッチ装置の介在部材の一例を示す概略図であり、図５（ｂ）は、変形例に係るスイッチ装置の介在部材の一例を示す概略図であり、図５（ｃ）は、他の変形例に係るスイッチ装置の介在部材の一例を示す概略図であり、図５（ｄ）は、他の変形例に係るスイッチ装置の介在部材の形状の一例を示す概略図である。
【発明を実施するための形態】
【００１０】
（実施の形態の要約）
実施の形態に係るスイッチ装置は、表面が操作面となるシートと、操作面になされたプッシュ操作を受け付けるスイッチと、操作面になされたプッシュ操作に伴う荷重をスイッチに伝達する伝達部材と、シートの裏面に取り付けられてシートと伝達部材との間に介在し、シートよりも硬質でありながらプッシュ操作に伴ってシートに追従して形状が変わる追従構造を有する介在部材と、を備えて概略構成されている。
【００１１】
このスイッチ装置は、介在部材がシートに取り付けられると共にシートの変形に追従して変形するので、介在部材が配置されず、プッシュ操作の際の伝達部材の移動に伴ってシートと伝達部材との間に隙間が生じる場合と比べて、シートと介在部材との間に隙間が生じず、爪などの鋭利な形状なものが接触してシートが凹むようなことが発生し難くなっている。従ってスイッチ装置は、プッシュ操作に伴う傷が表面に付き難くなっている。
【００１２】
[第１の実施の形態]
（スイッチ装置１の概要）
以下に記載する実施の形態に係る各図において、図形間の比率は、実際の比率とは異なる場合がある。
【００１３】
本実施の形態のスイッチ装置１は、一例として、図１（ａ）に示すように、プッシュ操作を受け付ける複数のスイッチ領域を有している。この複数のスイッチ領域は、一例として、車両８に搭載された空調装置８１に設けられている。
【００１４】
図１（ｂ）は、スイッチ装置１の複数のスイッチ領域のうち、１つのスイッチ領域の断面を示している。なおスイッチ装置１は、空調装置８１に限定されず、車両８に搭載されるナビゲーション装置、音楽及び映像再生装置などの車載装置のスイッチ装置として用いられても良い。またスイッチ装置１は、車載装置に限定されず、様々な電子機器のスイッチ装置として用いられても良い。
【００１５】
空調装置８１は、例えば、図１（ａ）に示すように、運転席と助手席の斜め前方に立ち上がるセンターコンソール８０に配置されている。従ってユーザは、この空調装置８１のスイッチ装置１を操作する際、操作指の爪が車両８の左右方向に向く。
【００１６】
スイッチ装置１は、例えば、図１（ａ）及び図１（ｂ）に示すように、表面が操作面２０となるシート２と、操作面２０になされたプッシュ操作を受け付けるスイッチ３と、操作面２０になされたプッシュ操作に伴う荷重をスイッチ３に伝達する伝達部材５と、シート２の裏面２１に取り付けられてシート２と伝達部材５との間に介在し、シート２よりも硬質でありながらプッシュ操作に伴ってシート２に追従して形状が変わる追従構造６０を有する介在部材６と、を備えて概略構成されている。
【００１７】
この介在部材６は、例えば、図１（ｂ）に示すように、複数の柱体（第１の柱体６１〜第３の柱体６３）がシート２の裏面２１に並んで配置され、複数の柱体の隙間としての少なくとも１つのスリット（スリット６５及びスリット６６）を有する追従構造６０を備えている。
【００１８】
またスイッチ装置１は、例えば、図１（ｂ）に示すように、伝達部材５及び介在部材６を介してシート２を照明する照明部４を備えている。そして伝達部材５及び介在部材６は、照明部４から出力される照明光４０を透過させる透光性を有している。
【００１９】
スイッチ装置１は、例えば、図１（ｂ）に示すように、筐体１０を備えている。この筐体１０は、例えば、金属材料や樹脂材料を用いて形成されている。そして筐体１０は、開口１００を有している。なお筐体１０は、スイッチの数に応じて複数の開口１００を有している。
【００２０】
この開口１００は、例えば、図２（ａ）に示すように、上面視において矩形状を有している。この開口１００は、一例として、長手方向の辺が操作指９の幅に応じて１５ｍｍ程度となっている。筐体１０は、伝達部材５の移動をガイドするガイド部１２が設けられている。このガイド部１２は、第１の壁１２０、第２の壁１２１及びガイド溝１２２を有している。開口１００は、第１の壁１２０によって形成されている。なお開口１００の形状は、矩形状に限定されず、スイッチ領域の形状に応じた形状となる。
【００２１】
第１の壁１２０は、第２の壁１２１と隙間を介して対向すると共に下端で繋がり、この隙間がガイド溝１２２となっている。第１の壁１２０は、開口１００を形成する４つの壁が繋がった形状を有している。第２の壁１２１は、第１の壁１２０を縮小した形状を有している。このガイド溝１２２には、伝達部材５の後述するガイド壁５２が挿入される。
【００２２】
（シート２の構成）
シート２は、例えば、ポリエチレンやポリカーボネートなどの透明な樹脂材料を用いて薄いシートとして形成されている。本実施の形態のシート２は、一例として、ポリカーボネートを用いて形成されている。シート２の厚みは、一例として、０．２５ｍｍであるがこれに限定されない。
【００２３】
シート２は、印刷などによって光を透過する透過領域と、光を遮光する遮光領域と、が形成されている。スイッチ装置１は、一例として、マークが透光領域として形成され、照明部４から出力される照明光４０を透過させ、マークを光らせるように構成されている。
【００２４】
（スイッチ３の構成）
スイッチ３は、本体３０からボタン３１が突出し、このボタン３１を本体３０側に押し込むことでオンするマイクロスイッチである。このスイッチ３は、リジッド基板である基板７の表面７０に配置されている。なおスイッチ３は、マイクロスイッチに限定されず、ラバードームを用いたスイッチなどであっても良い。
【００２５】
（照明部４の構成）
照明部４は、照明光４０を出力する発光素子である。この発光素子は、ＬＥＤ（Light Emitting Diode）素子である。照明部４は、例えば、図１（ｂ）に示すように、スイッチ３に隣接して基板７に配置されている。この照明部４は、スイッチ４に隣接する、つまり伝達部材５の中央近傍に配置されるので、この構成を採用しない場合と比べて、照明ムラを抑制することができる。なお照明部４は、１つの発光素子で構成されても良いし、複数の発光素子で構成されても良い。
【００２６】
（伝達部材５の構成）
伝達部材５は、スイッチ装置１の押しボタンとしての機能を有する。この伝達部材５は、例えば、照明光４０を透過するアクリルやポリカーボネートなどの透明な樹脂材料を用いて形成されている。本実施の形態の伝達部材５は、一例として、ポリカーボネートを用いて形成されている。
【００２７】
伝達部材５は、例えば、底が解放された箱形状を有している。伝達部材５は、その上部５０の表面５００に介在部材６が配置され、裏面５０１に押子５４が設けられている。この上部５０は、矩形状を有している。押子５４は、裏面５０１の中央から突出し、スイッチ３のボタン３１と接触している。押子５４は、例えば、円柱形状を有している。
【００２８】
伝達部材５は、箱の壁に相当するガイド壁５２を有している。このガイド壁５２は、上部５０と繋がる４つの壁が繋がって形成されている。なおガイド壁５２は、対向する壁の一対として形成されても良い。この場合、筐体１０のガイド部１２は、ガイド壁５２に対応する部分の第１の壁１２０及び第２の壁１２１が設けられる。
【００２９】
ガイド壁５２は、例えば、図１（ｂ）に示すように、ガイド溝１２２に挿入されている。伝達部材５は、操作面２０に対してプッシュ操作が行われた際、シート２、介在部材６を介して荷重が付加され、ガイド溝１２２にガイドされながら開口１００内を下方（スイッチ３の方向）に移動してスイッチ３のボタン３１を押し下げる。
【００３０】
そして伝達部材５は、プッシュ操作が終了すると、スイッチ３のボタン３１が元の位置に戻ろうとする弾性力によって元の位置（初期位置）へ戻る。なお伝達部材５は、シート２からの力とスイッチ３からの力によってこの初期位置が定まる。またスイッチ３は、伝達部材５が初期位置にある場合、プリロード（初期荷重）が付加されている。図１（ｂ）は、伝達部材５が初期位置にある場合の断面を示している。
【００３１】
（介在部材６の構成）
介在部材６は、例えば、図１（ｂ）及び図２（ａ）に示すように、照明光４０を透過するアクリルやポリカーボネートなどの透明な樹脂材料を用いて形成されている。本実施の形態の介在部材６は、一例として、ポリカーボネートを用いて形成されている。従って介在部材６は、シート２よりも硬質、つまり剛性が高く、シート２を補強すると共に荷重を分散している。
【００３２】
介在部材６は、例えば、四角柱形状を有する第１の柱体６１〜第３の柱体６３を備えて構成されている。この第１の柱体６１〜第３の柱体６３は、等間隔でシート２の裏面２１に接着剤や粘着剤などによって取り付けられている。第１の柱体６１と第２の柱体６２の間がスリット６５であり、第２の柱体６２と第３の柱体６３の間がスリット６６である。なお柱体の数は、３つに限定されず、さらに複数であっても良い。
【００３３】
ここで図２（ｂ）に示すように、ユーザが操作指９を立ててプッシュ操作を行った場合、指先９０と共に爪９１が操作面２０に接触する可能性がある。この場合、爪９１の先端９１０が操作面２０に接触した領域である接触領域２００は、図２（ｃ）に示すように、細長い形状を有する。この接触領域２００の面積は、操作指９の爪９１以外の部分が接触した場合と比べて狭い。
【００３４】
例えば、介在部材６がない場合、プッシュ操作に伴って伝達部材５が下方に移動すると、シート２と伝達部材５との間に隙間が生じ、その隙間の上方の操作面２０に爪９１の先端９１０が接触すると、操作面２０に傷が付く可能性がある。
【００３５】
そこで介在部材６は、例えば、図３に示すように、プッシュ操作に伴ってシート２に追従して形状が変わる追従構造６０を備えている。この追従構造６０により、介在部材６がシート２に追従して変形するので、シート２と介在部材６との間には隙間が生じない。
【００３６】
また爪９１の先端９１０がスリット６５及びスリット６６に嵌ると、やはり傷になる可能性がある。そこでスリット６５及びスリット６６は、爪９１の先端９１０が嵌り難い方向である方が良い。またスリット６５及びスリット６６は、操作指９の爪９１が嵌らない形状を有する方が良い。この爪９１が嵌らない形状については、後述する。
【００３７】
スリット６５及びスリット６６が伸びる方向は、プッシュ操作の際に予想される操作指９の爪９１の接触領域２００の長手方向に対して交差する方向である。
【００３８】
本実施の形態のスイッチ装置１は、例えば、図１（ａ）に示すように、ユーザから見て斜め前方に立ち上がるように配置されている。従ってユーザがプッシュ操作を行う際、図１（ａ）の紙面において爪９１の先端９１０の長手方向の向きは、車両８の左右方向となると予想される。つまり図２（ｃ）に示す接触領域２００は、長手方向が左右方向であるので、この紙面における左右方向が車両８の左右方向であり、上下方向が車両８の上下方向となる。
【００３９】
そこで本実施の形態の介在部材６は、スリット６５及びスリット６６が車両８の上下方向に伸びている。図２（ａ）は、紙面の上下方向が車両８の上下方向となっている。従ってユーザが図２（ａ）の紙面の左右方向に爪９１の先端９１０の長手方向が向くようにプッシュ操作を行った場合、先端９１０は、スリット６５及びスリット６６のいずれのスリットにも嵌らないので、操作面２０に傷が付き難い。
【００４０】
追従構造６０は、上述のように、シート２の変形に追従して形状を変えて隙間を生じさせず、さらにユーザの爪９１の先端９１０が嵌り難いスリット６５及びスリット６６の方向を備えた構造である。つまり追従構造６０は、ユーザのプッシュ操作の仕方に応じた構造を有している。
【００４１】
以下に本実施の形態のスイッチ装置１の動作について各図を参照しながら説明する。なおスイッチ装置１は、プッシュ操作が受け付けられた後、点灯するものとする。またユーザは、開口１００の中央に対してプッシュ操作を行うものとする。
【００４２】
(動作)
ユーザがプッシュ操作を行うと、シート２及び介在部材６を介して伝達部材５に荷重Ｆが付加される。伝達部材５は、ガイド溝１２２にガイドされながら開口１００を移動する。
【００４３】
この移動により、伝達部材５の押子５４がスイッチ３のボタン３１を本体３０側に押し込む。この際、シート２は、例えば、図３に示すように、操作指９の形状に応じてプッシュ操作方向に凹形状に変形する。
【００４４】
介在部材６は、シート２よりも硬質でありながらシート２の変形に追従して形状が変わる追従構造６０を有している。具体的には、介在部材６は、１枚の板ではなく、第１の柱体６１〜第３の柱体６３、スリット６５及びスリット６６を有する追従構造６０を備えている。従って介在部材６は、スリット６５及びスリット６６を起点としてシート２の変形に追従するように第１の柱体６１及び第３の柱体６３が回転し、１枚の板よりも容易にシート２の変形に応じた凹形状に形状を変化させる。
【００４５】
介在部材６の中央の柱体である第２の柱体６２は、開口１００の中心にプッシュ操作が行われた際、伝達部材５に接触して荷重Ｆを伝達する。なお外側に位置する第１の柱体６１及び第３の柱体６３は、シート２に追従するので、伝達部材５の表面５００との間に隙間が生じる。しかしこの隙間の上方の操作面２０に爪９１が接触したとしても介在部材６がシート２を補強しているので、シート２は、傷つかない。
【００４６】
スイッチ３は、押子５４によるボタン３１の押し込みにより、プッシュ操作を受け付けると、オンしたことを示す信号を空調装置８１に出力する。そして空調装置８１は、オンしたことを示す信号が入力したことにより、照明部４を駆動して照明光４０を出力させる。照明光４０は、伝達部材５及び介在部材６を介してシート２を照明する。
【００４７】
ユーザがプッシュ操作を終了する、つまり操作指９を操作面２０から離すと、スイッチ３のボタン３１が押し込まれる前の初期位置に戻ろうとする弾性力により伝達部材５が上方に駆動されると共に、シート２が形状を保とうとする力により、伝達部材５が初期位置に復帰する。
【００４８】
（第１の実施の形態の効果）
本実施の形態に係るスイッチ装置１は、プッシュ操作に伴う傷が操作面２０に付き難い。具体的には、スイッチ装置１は、介在部材６がシート２に取り付けられると共にシート２の変形に追従して変形するので、介在部材が配置されず、プッシュ操作の際の伝達部材の移動に伴ってシートと伝達部材との間に隙間が生じる場合と比べて、シート２と介在部材６との間に隙間が生じず、爪９１などの鋭利な形状なものが接触してシート２が凹むようなことが発生し難くなっている。従ってスイッチ装置１は、プッシュ操作に伴う傷が操作面２０に付き難くなっている。
【００４９】
スイッチ装置１は、プッシュ操作の際に予想される操作指９の爪９１の接触領域２００の長手方向に対して交差する方向に、介在部材６のスリット６５及びスリット６６が形成されている。言い換えるなら介在部材６は、接触する操作指９の形状に応じて形状が変わる追従構造６０を有している。そのため、スイッチ装置１は、介在部材６がシート２よりも硬質でありながらプッシュ操作に伴ってシート２に追従して形状が変わる。従ってスイッチ装置１は、爪９１がスリット６５及びスリット６６に嵌り込むことが抑制されて操作面２０に傷が付き難い。またスイッチ装置１は、シート２に追従して介在部材６の形状が変わるので、シート２の撓みによって筐体１０の開口１００の端部付近に掛かる荷重が緩和され、当該端部付近に傷が付くことを抑制することができる。
【００５０】
［第２の実施の形態］
第２の実施の形態は、スリットが溝として形成される点で第１の実施の形態と異なっている。
【００５１】
なお以下に記載する実施の形態において、第１の実施の形態と同じ機能及び構成を有する部分は、第１の実施の形態と同じ符号を付し、その説明は省略するものとする。
【００５２】
本実施の形態の介在部材６は、例えば、図４（ａ）及び図４（ｂ）に示すように、伝達部材５側に溝としての少なくとも１つのスリットを有する追従構造６０を備えている。このスリットは、介在部材６の裏面６０ｂに形成された溝６５ａ及び溝６６ａである。
【００５３】
つまり第１の柱体６１と第２の柱体６２が表面６０ａ側の連結部６７において繋がり、第２の柱体６２と第３の柱体６３が表面６０ａ側の連結部６８において繋がっている。言い換えるなら介在部材６は、一枚の板に溝６５ａ及び溝６６ａを形成することによって形成されている。
【００５４】
この溝６５ａ及び溝６６ａは、第１の実施の形態のスリット６５及びスリット６６と同じ方向に形成されている。つまり溝６５ａ及び溝６６ａが伸びる方向は、プッシュ操作の際に予想される操作指９の爪９１の接触領域２００の長手方向に対して交差する方向である。
【００５５】
溝６５ａ及び溝６６ａは、例えば、シート２の変形に追従し易くするため、介在部材６の厚みの半分以上となるように深く形成される。言い換えるなら介在部材６は、例えば、シート２の変形に追従し易くするため、連結部６７及び連結部６８が介在部材６の厚みの半分以下となるように形成される。
【００５６】
（第２の実施の形態の効果）
本実施の形態のスイッチ装置１は、介在部材６が連結部６７及び連結部６８を有しているので、連結部がない場合と比べて、シート２の変形に対する追従性を確保しながら柱体間に爪９１が嵌っても傷が付き難い。
【００５７】
またスイッチ装置１は、溝６５ａ及び溝６６ａが介在部材６に形成され、一枚の板としてシート２に取り付けることができるので、繋がっていない場合と比べて、シート２の変形に対する追従性を確保しながら取り付けが容易となる。
【００５８】
[第３の実施の形態]
第３の実施の形態は、スリットの形状が曲線を含んでいる点で他の実施の形態と異なっている。
【００５９】
本実施の形態のスリットは、操作指９の爪９１が嵌らない形状を有している。具体的には、介在部材６は、例えば、図５（ａ）に示すように、波形状を有するスリット６５ｂ及びスリット６６ｂを備えている。このスリット６５ｂ及びスリット６６ｂは、柱体間の隙間であっても良いし、溝であっても良い。
【００６０】
このスリット６５ｂ及びスリット６６ｂは、爪９１が嵌らないような曲線形状を有しているので、直線である場合と比べて、プッシュ操作の際、爪９１の方向が予想された方向とずれても爪９１がスリット６５ｂ又はスリット６６ｂに嵌り難く、操作面２０の傷を抑制する。なお操作指９の爪９１が嵌らない形状は、波形状に限定されず、爪９１が嵌り難い短い直線で構成された形状、直線と曲線を組み合わせた形状などであっても良い。
【００６１】
ここで変形例としてスイッチ装置１は、例えば、図５（ｂ）に示すように、介在部材６の一対の対向する辺６９ａ及び辺６９ｂが曲線形状を有していても良い。この介在部材６の辺６９ａ及び辺６９ｂは、プッシュ操作の際に予想される操作指９の爪９１の接触領域２００の長手方向に実質的に平行となる辺である。
【００６２】
スリット６５ｂ及びスリット６６ｂの方向が予想される接触領域２００の長手方向に交差しても介在部材６の一対の辺は、当該長手方向と実質的に平行となる。この場合、開口１００と介在部材６の一対の辺の間に爪９１が嵌ると、操作面２０に傷が付く可能性がある。
【００６３】
そこでこの変形例では、接触領域２００の長手方向と実質的に平行となる介在部材６の一対の辺である辺６９ａ及び辺６９ｂを直線ではなく曲線を含む形状とすると共に、対向する開口１００の辺１００ａ及び辺１００ｂを辺６９ａ及び辺６９ｂに対応した形状として、爪９１が嵌るのを抑制している。
【００６４】
なおこの変形例のスイッチ装置１は、伝達部材５の形状を介在部材６の辺６９ａ及び辺６９ｂの形状に応じた形状としても良い。
【００６５】
また他の変形例としてスイッチ装置１は、例えば、図５（ｃ）に示すように、介在部材６の全ての辺（辺６９ａ〜辺６９ｄ）が曲線形状を有していても良い。このスイッチ装置１は、介在部材６の辺６９ａ〜辺６９ｄを直線ではなく曲線を含む形状とすると共に、開口１００の辺１００ａ〜辺１００ｄを辺６９ａ及び辺６９ｂに対応した形状として、爪９１が嵌るのを抑制している。
【００６６】
なおこの変形例のスイッチ装置１は、伝達部材５の形状を介在部材６の辺６９ａ〜辺６９ｄの形状に応じた形状としても良い。
【００６７】
さらに他の変形例として介在部材６は、裏面６０ｂが平坦な形状に限定されない。介在部材６は、例えば、図５（ｄ）に示すように、裏面６０ｂが曲面とされた形状などであっても良い。
【００６８】
以上述べた少なくとも１つの実施の形態のスイッチ装置１によれば、プッシュ操作に伴う傷が操作面２０に付き難くすることが可能となる。
【００６９】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００７０】
１…スイッチ装置、２…シート、３…スイッチ、４…照明部、５…伝達部材、６…介在部材、７…基板、８…車両、９…操作指、１０…筐体、１２…ガイド部、２０…操作面、２１…裏面、３０…本体、３１…ボタン、４０…照明光、５０…上部、５２…ガイド壁、５４…押子、６０…追従構造、６０ａ…表面、６０ｂ…裏面、６１…第１の柱体、６２…第２の柱体、６３…第３の柱体、６５…スリット、６５ａ…溝、６５ｂ…スリット、６６…スリット、６６ａ…溝、６６ｂ…スリット、６７…連結部、６８…連結部、６９ａ〜６９ｄ…辺、７０…表面、８０…センターコンソール、８１…空調装置、９０…指先、９１…爪、１００…開口、１００ａ〜１００ｄ…辺、１２０…第１の壁、１２１…第２の壁、１２２…ガイド溝、２００…接触領域、５００…表面、５０１…裏面、９１０…先端
【図１】
2020113473.tif 000003
【図２】
2020113473.tif 000004
【図３】
2020113473.tif 000005
【図４】
2020113473.tif 000006
【図５】
2020113473.tif 000007